(57)【要約】      （修正有）【課題】手の冷たさ不快感を生じさせずに冷却美容法を行えるようにすることで、角氷を用いる事により、容易に冷却美容法を行なえるようにする氷冷却美容器を提供する。【解決手段】課題解決の為、角氷を掴める掴み器具を構成する事を解決手段とする。また美容器の前提として、肌を傷付ける事のないように、掴み器具を構成する。使用時は、本氷冷却美容器で掴んだ角氷は溶けていって氷冷却美容器前面が肌に触れるが、氷冷却美容器前面は滑らかに形成しているので肌が傷付くおそれは無い。【選択図】図１
0003175610.tif 000002
【実用新案登録請求の範囲】
【請求項１】
支持部材を形成し、この支持部材に物品を介して押圧力を加え得るように押圧部材を接続し、この支持部材と押圧部材間で物品を掴む掴み器具を形成し、この掴み器具の物品を掴む部分の開口幅は角氷短辺以上と成し、この掴み器具の内面には角氷を安定保持する配置で突起や凸条を設け、この掴み器具の前面は肌を傷付けない平滑表面かつ面取り処理した形状もしくは柔らかい素材を被服した、氷冷却美容器。
【請求項２】
第１項記載の掴み器具は１対の棒部材の中央部を棒部材と直交する軸によって軸接続すると共に、バネ弾力によって棒部材先端を閉じるようにバネの両端を双方の棒部材に接続してなるクリップで構成された、氷冷却美容器。
【請求項３】
第１項記載の掴み器具は弾性部材によって棒部材同士を固定接続すると共に、棒部材先端間は開いた状態であり、両棒部材ごと握ると弾性部材が撓んで棒部材先端が閉じるトングで構成された、氷冷却美容器。
【請求項４】
第１項記載の掴み器具は使用を想定している角氷の対向２面と嵌り合う形状寸法の枠部材を形成し、この枠部材の一端には枠部材他端に向けてボルト穴をあけ、このボルト穴にボルトを係合してなる万力で構成された、氷冷却美容器。
【請求項５】
掴み器具の開口幅は少なくとも２センチ以上である、第１，２，３，４、６項のうちのひとつの項から成る氷冷却美容器。
【請求項６】
掴み器具の持ち手部分は熱伝導率の低い素材を用いているか断熱素材を被覆してなる、第１，２，３，４，５，７項のうちのひとつの項から成る氷冷却美容器。
【請求項７】
掴み器具の内側には角氷が奥へズレ動かないように角氷上面を押さえる押さえ部材を設けてなる、第１から６項のうちのひとつの項から成る氷冷却美容器。
【考案の詳細な説明】
【技術分野】
【０００１】
本考案は美顔器，美容器に関する。さらに細かくは冷却美容器に関する。冷却によって肌の血行を促す美容方法に用いる器具である。主な美容対象は顔であるが、顔以外への美容を排除しない。
【背景技術】
【０００２】
肌を冷却する事による美容法は、さまざま有る。氷水美顔法、冷却美容法、氷のう美顔法、極低温美容法などである。これら美容方法はさまざまな方法が乱立していて、美容方法の定義も混同されていたり明確でない。ただ美容法の本質は、肌を冷やす事で血行を促し、美容効果を得るものである。冷媒や用具や冷やし方や冷やす時間が異なるだけである。以後は簡単のため、冷却美容法と総称する。これら冷却美容法の成功体験談は、インターネットで調べれば多く検索できる。実行している著名人も多い。ただし氷水で冷やしたタオルを絞ったり、氷をラップで包み持ったりして、指先が冷たくなり、不快感が伴っていた。それゆえ美容法は敬遠されたり長続きしない状況であった。
それに鑑み、冷たい思いをする事なく氷を持てるようにした器具が考案された。それが特許文献１の肌冷却具である。取っ手を組み込んで製氷する構成である。これにより手先の冷たさは解消された。しかしながら別の課題が生じていた。肌冷却具で製氷する場所の問題である。冷蔵庫の製氷部分は自動製氷式ゆえ、置けない。冷凍庫なら置けるが、食材の臭い移りで好ましくない。また肌冷却具は冷凍状態とはいえ、雑菌繁殖の可能性はある。その対処として数日毎に洗浄し、乾燥させて清潔に保つ手間を要する。
【先行技術文献】
【特許文献】
【０００３】
【特許文献１】実用新案登録第３１０７２４１号
【考案の概要】
【考案が解決しようとする課題】
【０００４】
本考案の課題は、角氷をそのまま美容器に用いれるようにする事である。また美容器としての基本条件として、肌を傷付けないという課題も内在している。
【課題を解決するための手段】
【０００５】
懸かる課題解決の為、角氷を摘める器具を形成すると共に、器具先端前面は肌を傷付けない形状または素材で形成することである。
氷冷却美容器の具体的構成は、支持部材を形成し、この支持部材に物品を介して押圧力を加え得るように押圧部材を接続し、この支持部材と押圧部材間で物品を掴む掴み器具を形成し、この掴み器具の物品を掴む部分の開口幅は角氷短辺以上と成し、この掴み器具の内面には角氷を安定保持する配置で突起や凸条を設け、この掴み器具の前面は肌を傷付けない平滑表面かつ面取り処理した形状もしくは柔らかい素材を被服して、氷冷却美容器を構成する。そしてより使い易くする為に、掴み器具に熱伝導率の低い素材を用いたり、この掴み器具の内側に角氷が奥にスレ動かないように角氷上面を押さえる押さえ部材を設けてもよい。
ここでいう掴み器具とは、２つの部材の間隔を狭める事により物を掴む器具である。具体的にはクリップやトングやピンセットや万力などの形態を総括する器具である。
ここでいう角氷とは、飲料用に用いる長方体や立方体の氷である。角氷の別称には、ダイヤアイス，キューブアイス，カクテル氷，四角い氷などがある。角氷は何ら規格化されてないが、物理的必然性から一定範囲内で形状寸法が定まっている。およそ長方体であり、交差３辺の内の１辺は約２から３．５センチの氷である。１辺の推定平均はだいたい２．９センチである。形状は製造時の容積効率が良いように、長方体となる。古今東西の家屋室内が長方体となるのと同じ必然性である。ただ製氷皿の氷は容器から取り出し易いように、側面がやや斜めの場合が多い。寸法はコップに入れる必然性から、３辺の内の１辺は２から３．５センチとなる。家庭用冷蔵庫では庫内の自動製氷機で作られるか、製氷皿で作られる。業務用製氷機も多種多様にある。飲料を即座に冷やしたい場合は小さく、氷を長時間保たせたい場合は大きめの氷が用いられる。
【０００６】
ここでいう安定保持とは、氷冷却美容器として用いる場合に、角氷を掴んで顔に擦りつけても角氷をズレ動かさずに保持するという意味である。しつこい表現であるが、氷は熱でも圧力でも溶け、この溶けた水で摩擦が作用しなくなるので、最も滑り易い物質である。それゆえ角氷を突起や凸条で保持する構成要件は，本考案にとって重要な構成要件である。
ここでいう凸条とは、電車レールのように連続した凸部形状である。指紋のような曲線の凸条も含む。
ここでいう面取りとは、丸みをつけるアール面取りが望ましいが、角面取りでも構わない。氷冷却美容器の使用状態は濡れた肌の上を軽く滑らせるだけなので、よほど角張ってなければ肌を傷付ける事はない。
ここでいう押さえ部材とは、掴んだ角氷が奥にズレ動かないように角氷の上面を押さえる部材である。突起物で角氷側面を掴んでも角氷下面からの押圧力が大きい場合にはズレ動き得る。圧力が加わる事でも氷は溶けるという不思議な性質の為である。氷の塊にワイヤーをかけて錘を吊るすと、ワイヤーは食い込んでいき、やがて氷を素通りして下に落ちる。とはいえ氷冷却美容器では角氷をそれほど強く肌に押し付けないので、その他の設計要素での対処も可能である。押さえ部材に必要性は、突起形状，突起の数，掴む押圧力などによって決まってくる。
【考案の効果】
【０００７】
本考案の氷冷却美容器の効果は、既製の角氷をそのまま使えて、簡便かつ手軽に冷却美容法を行なえることである。両頬同時に行なうとしても、氷冷却美容器２個あれば済む。角氷さえたくさんあれば、多人数が多数回行なえる。例えばお母さんと３人姉妹が１日３回ずつ冷却美容法を行なおうとした場合、本考案の氷冷却美容器なら２個で済む。それにひきかえ特許文献１の肌冷却具では、少なくとも８個、氷結時間がかかる場合は１６個とか２４個用意しなければならない。氷結させる為に冷凍室のスペースも要する。本考案ならばエステ店のメニューとして行なう場合にも、少ない器具で対処できる。
本考案の氷冷却美容器の効果は、角氷に直接触れなくて済むので、冷たい不快感を感じなくて済むことである。
本考案の氷冷却美容器の効果は、棒部材先端前面が平滑か柔軟な構成なので、氷冷却美容器を使用して、角氷が溶けて掴み器具前面が肌に触れても傷付けない。効果というより美容器具としての大前提であるが、従来の類似目的の物品との差異が重要なので、詳しく説明する。従来の飲料用のトングも、角氷を掴む為の器具である。飲料用トングは細長い金属板の両端部の縁をギザギザの形状にし、この金属板をＵ字に折り曲げ、ギザギザ歯を内側へ折り曲げて形成されている。トングをアイスペールの底に当てれば、ギザギザ歯も底に当り、それによって角氷を掴み易くしている。仮にこの飲料用トングを氷冷却美容器に転用した場合、ギザギザ歯が肌に当って傷付けることになり、とんでもなく危険でありまったく不適である。かように似て非なる物である。
【０００８】
氷を用いる冷却美容器としての効果（つまり特許文献１も含む）は、氷を直接素肌に当てるので冷却効果が高く、美容効果も望める。冷却美容法の本質は、冷却刺激に対して体温を戻すべく血流促進する生体自律反応を引き起こす事にある。冷やし足りなければ生体自律反応は起きない。過度に冷やせばしもやけか凍傷になる。冷やし過ぎずに生体自律反応を引き起こすのが最適である。氷冷却美容器は、それを実現し易い器具である。生体自律反応が生じると、肌は赤らむ。これは血流を増加させた結果として、表皮血管が太くなり、それが赤らみとなって見えるのである。氷の美容器では、美容したい肌の範囲を氷でなぞって赤くすればいいのである。すでに赤くなった肌は避けて、また赤くなってない肌部分を氷でなぞる事で、冷やし不足も冷やし過ぎもなく、対象範囲の生体自律反応を引き出せる。氷を用いない冷却美容器では不適切になり得る。冷やしタオルでは冷やし不足が生じ易い。また顔の凹凸で当りムラが生じる。極低温美容法は−１６０度ぐらいのヘリウムガスを吹き付けるので冷やし過ぎの危険がある。
冷却美容全般としての効果は、表皮の血管の血流を促進するので、表皮への美容効果が高い事である。他の血流促進の美容法たとえばローラーマッサージ器も血流促進効果はあるが、作用するのは太く真直ぐな血管である。血管網は街の上下水道と同じで、太い血管は水平に敷設されているが、毛細血管はビルマンションの配管のように上下方向でなおかつ細かく分岐し合流している。ホースに沿ってローラーをかければ水が流れるが、折畳んだ濡れたビニル袋にローラーをかけても水気が抜けないのと似た状況になる。ローラーマッサージでは、毛細血管には作用し難いのである。
氷冷却美容器によって肌色が良くなる事は、考案者当人が体験済みである。また雪国に美肌な人は多い。雪国では冷たい外気で肌が赤らむほどに冷やされ、毛細血管の血流が活発になり、それが美肌となって表れていると推測される。
【図面の簡単な説明】
【０００９】
【図１】実施例１の正面図である。
【図２】実施例１の氷冷却美容器で角氷を掴んだ図である。
【図３】実施例１の斜視図である。
【図４】実施例２の正面図である。
【図５】実施例２の氷冷却美容器で角氷を掴んだ図である。
【図６】実施例３の斜視図である。
【図７】実施例３の氷冷却美容器で角氷を保持しだ図である。
【図８】実施例４の斜視図である。
【考案を実施するための形態】
【００１０】
本考案の氷冷却美容器は、クリップ形態やトング形態や万力形態やその他の形態をとりうる。以下にそれらの説明をする。また実用新案登録請求項での構成要件名称と、実施例での部材名称は異なってくる。その対照を表１に示した。
【表１】
0003175610.tif 000003
【実施例１】
【００１１】
図１から３を参照として実施例１を説明する。扁平な棒部材１を図１に示すように２本形成する。この棒部材１の先端内面には突起２を設ける。また棒部材１の先端前面縁はアール加工して、切立った角は無くしておく。この棒部材１の内面には軸穴の空いた軸台３を設ける。一方の棒部材１の軸台３の軸穴と他方の棒部材１の軸台３の軸穴が一致するように軸台３同士を組合せ、さらにスパイラルバネ５も穴を一致させて組合せ、この軸穴に軸棒４を貫通させて接続し、クリップ形態の氷冷却美容器を構成する。
角氷６を掴めるように、開口角度が大きく開くクリップとなる。また軸台３は押さえ部材としての役割りも兼ねている。この氷冷却美容器で角氷を掴んで肌に押し当てても、角氷上面を軸台３が押さえてるので角氷が上へズレていく事は無い。
【実施例２】
【００１２】
図４，５を参照として実施例２を説明する。扁平な棒部材７をＵ字に折り曲げ、図４に示すように形成する。棒部材７の素材は弾性素材とする。この棒部材７の先端はゴム８でコーティングする。また棒部材７の先端内前には突起９を設ける。トング形態の氷冷却美容器である。
このトング形態の氷冷却美容器は、開口幅が広いので適用可能な角氷６の寸法範囲は広くなる。棒部材７の先端の折り返し部分は、押さえ部材を兼ねている。
【実施例３】
【００１３】
図６，７を参照として実施例３を説明する。使用を想定している角氷６と嵌り合う形状寸法のキャップ部材10を形成する。このキャップ部材10内面の内の１面に突起11を設ける。突起11を設けた面と向き合う面の中央部にボルト穴をあける。ボルトの上部にツマミの付いたチョウボルト12をボルト穴にはめる。キャップ部材10の上面には持ち手13を設ける。形は万力に似てないが、機構は万力と同一の万力形態での氷冷却美容器である。キャップ部材10の天井面は、押さえ部材を兼ねている。
【実施例４】
【００１４】
図８を参照として実施例４を説明する。図８に示すような、１つの側面を無くしたキャップ部材14を形成する。このキャップ部材14の側面の無い部分に、折畳まれた板バネ15を固定する。板バネ15の前面は曲面になっていて、肌を傷付けないと共に、角氷６を嵌り易くする。また板バネ15の内面側は凸条になっていて、キャップ部材14に嵌った角氷６を保持する。板バネ15と向き合うキャップ部材14の内面には突起16を設ける。キャップ部材14の上面には持ち手17を設ける。キャップ部材14の天井面は、押さえ部材を兼ねている。
実施例３と実施例４の氷冷却美容器は、適用する角氷の寸法許容範囲が狭い。けれど準備する角氷の寸法と合ってさえいれば支障ない。たとえばエステ店で２センチ立方角氷の業務用製氷機を設置しているのであれば、２センチ角氷と嵌り合う氷冷却美容器を用意すれば済むわけである。
また全ての実施例でいえることであるが、持ち手部分は熱伝導率の低い素材であることが望ましい。氷の冷たさが指に伝わり難くなり、より快適に使用できる。トング形態であっても、弾性と低熱伝導率を合わせもつ竹素材を用いれば製造可能である。あるいは持ち手部分に断熱素材を貼り付けた構成でもよい。
【産業上の利用可能性】
【００１５】
本考案の氷冷却美容器は、火傷箇所を冷やす為の器具としても、転用可能である。
【符号の説明】
【００１６】
１棒部材、２突起、３軸台、４軸棒、５スパイラルバネ、６角氷、７棒部材、８ゴム、10キャップ部材、12チョウボルト、14キャップ部材、15板バネ。
【図１】
0003175610.tif 000004
【図２】
0003175610.tif 000005
【図３】
0003175610.tif 000006
【図４】
0003175610.tif 000007
【図５】
0003175610.tif 000008
【図６】
0003175610.tif 000009
【図７】
0003175610.tif 000010
【図８】
0003175610.tif 000011
【手続補正書】
【提出日】平成24年3月7日(2012.3.7)
【手続補正１】
【補正対象書類名】明細書
【補正対象項目名】０００５
【補正方法】変更
【補正の内容】
【０００５】
懸かる課題解決の為、角氷を摘める器具を形成すると共に、器具先端前面は肌を傷付けない形状または素材で形成することである。
氷冷却美容器の具体的構成は、支持部材を形成し、この支持部材に物品を介して押圧力を加え得るように押圧部材を接続し、この支持部材と押圧部材間で物品を掴むクリップ・ピンセット器具を形成し、このクリップ・ピンセット器具の物品を掴む部分の開口幅は角氷短辺以上と成し、このクリップ・ピンセット器具の内面には角氷を安定保持する配置で突起や凸条を設け、このクリップ・ピンセット器具の前面は肌を傷付けない平滑表面かつ面取り処理した形状もしくは柔らかい素材を被服して、氷冷却美容器を構成する。そしてより使い易くする為に、クリップ・ピンセット器具に熱伝導率の低い素材を用いたり、このクリップ・ピンセット器具の内側に角氷が奥にスレ動かないように角氷上面を押さえる押さえ部材を設けてもよい。
ここでいうクリップ・ピンセット器具とは、２つの部材の間隔を狭める事により物を掴む器具である。具体的にはクリップやトングやピンセットや万力などの形態を総括する器具である。
ここでいう角氷とは、飲料用に用いる長方体や立方体の氷である。角氷の別称には、ダイヤアイス，キューブアイス，カクテル氷，四角い氷などがある。角氷は何ら規格化されてないが、物理的必然性から一定範囲内で形状寸法が定まっている。およそ長方体であり、交差３辺の内の１辺は約２から３．５センチの氷である。１辺の推定平均はだいたい２．９センチである。形状は製造時の容積効率が良いように、長方体となる。古今東西の家屋室内が長方体となるのと同じ必然性である。ただ製氷皿の氷は容器から取り出し易いように、側面がやや斜めの場合が多い。寸法はコップに入れる必然性から、３辺の内の１辺は２から３．５センチとなる。家庭用冷蔵庫では庫内の自動製氷機で作られるか、製氷皿で作られる。業務用製氷機も多種多様にある。飲料を即座に冷やしたい場合は小さく、氷を長時間保たせたい場合は大きめの氷が用いられる。
【手続補正２】
【補正対象書類名】明細書
【補正対象項目名】０００７
【補正方法】変更
【補正の内容】
【０００７】
本考案の氷冷却美容器の効果は、既製の角氷をそのまま使えて、簡便かつ手軽に冷却美容法を行なえることである。両頬同時に行なうとしても、氷冷却美容器２個あれば済む。角氷さえたくさんあれば、多人数が多数回行なえる。例えばお母さんと３人姉妹が１日３回ずつ冷却美容法を行なおうとした場合、本考案の氷冷却美容器なら２個で済む。それにひきかえ特許文献１の肌冷却具では、少なくとも８個、氷結時間がかかる場合は１６個とか２４個用意しなければならない。氷結させる為に冷凍室のスペースも要する。本考案ならばエステ店のメニューとして行なう場合にも、少ない器具で対処できる。
本考案の氷冷却美容器の効果は、角氷に直接触れなくて済むので、冷たい不快感を感じなくて済むことである。
本考案の氷冷却美容器の効果は、棒部材先端前面が平滑か柔軟な構成なので、氷冷却美容器を使用して、角氷が溶けて氷冷却美容器前面が肌に触れても傷付けない。効果というより美容器具としての大前提であるが、従来の類似目的の物品との差異が重要なので、詳しく説明する。従来の飲料用のトングも、角氷を掴む為の器具である。飲料用トングは細長い金属板の両端部の縁をギザギザの形状にし、この金属板をＵ字に折り曲げ、ギザギザ歯を内側へ折り曲げて形成されている。トングをアイスペールの底に当てれば、ギザギザ歯も底に当り、それによって角氷を掴み易くしている。仮にこの飲料用トングを氷冷却美容器に転用した場合、ギザギザ歯が肌に当って傷付けることになり、とんでもなく危険でありまったく不適である。かように似て非なる物である。
【手続補正３】
【補正対象書類名】実用新案登録請求の範囲
【補正対象項目名】全文
【補正方法】変更
【補正の内容】
【実用新案登録請求の範囲】
【請求項１】
支持部材を形成し、この支持部材に物品を介して押圧力を加え得るように押圧部材を接続し、この支持部材と押圧部材間で物品を掴むクリップ・ピンセット器具において、
このクリップ・ピンセット器具の物品を掴む部分の開口幅は角氷短辺以上と成し、このクリップ・ピンセット器具の内面には角氷を安定保持する配置で突起や凸条を設け、このクリップ・ピンセット器具の前面は肌を傷付けない平滑表面かつ面取り処理した形状もしくは柔らかい素材を被服した、氷冷却美容器。
【請求項２】
１対の棒部材の中央部を棒部材と直交する軸によって軸接続すると共に、バネ弾力によって棒部材先端を閉じるようにバネの両端を双方の棒部材に接続してなるクリップにおいて、
このクリップの物品を掴む部分の開口幅は角氷短辺以上と成し、このクリップの内面には角氷を安定保持する配置で突起や凸条を設け、このクリップの前面は肌を傷付けない平滑表面かつ面取り処理した形状もしくは柔らかい素材を被服した、氷冷却美容器。
【請求項３】
弾性部材によって棒部材同士を固定接続すると共に、棒部材先端間は開いた状態であり、両棒部材ごと握ると弾性部材が撓んで棒部材先端が閉じるトングにおいて、
このトングの物品を掴む部分の開口幅は角氷短辺以上と成し、このトングの内面には角氷を安定保持する配置で突起や凸条を設け、このトングの前面は肌を傷付けない平滑表面かつ面取り処理した形状もしくは柔らかい素材を被服した、氷冷却美容器。
【請求項４】
使用を想定している角氷の対向２面と嵌り合う形状寸法の枠部材を形成し、この枠部材の一端には枠部材他端に向けてボルト穴をあけ、このボルト穴にボルトを係合してなる万力を構成し、
この万力の内面には角氷を安定保持する配置で突起や凸条を設け、この万力の前面は肌を傷付けない平滑表面かつ面取り処理した形状もしくは柔らかい素材を被服した、氷冷却美容器。
【請求項５】
クリップ・ピンセット器具の開口幅は少なくとも２センチ以上である、請求項１，２，３，４の何れかに記載の氷冷却美容器。
【請求項６】
クリップ・ピンセット器具の持ち手部分は熱伝導率の低い素材を用いているか断熱素材を被覆してなる、請求項１，２，３，４，５の何れかに記載の氷冷却美容器。
【請求項７】
クリップ・ピンセット器具の内側には角氷が奥へズレ動かないように角氷上面を押さえる押さえ部材を設けてなる、請求項１から６の何れかに記載の氷冷却美容器。